(57)【要約】      （修正有）【課題】新たな部品を必要とすることなく、かつ簡便な加工工程でシャーシへの配線基板の取付けを可能にするとともに、配線基板とシャーシおよびカバーの取付けにねじを不要とし、組立および分解を容易に行うことができる電子機器の組立構造を提供する。【解決手段】配線基板２４をシャーシ３２の上部からはめ込み、上部押さえ片および下部押さえ片にて上下から挟んだ状態としてシャーシ３２の中間位置に保持する。電子部品２３相互間の絶縁や放熱性（通気性）を確保でき、組立に必要な部品点数も工具も増加を要しない。【選択図】図１
2006186157.tif 000002
【特許請求の範囲】
【請求項１】
四角箱状の金属製シャーシの四側面の中間位置に、各対向面毎の組となるように上下の向きを違えて「コ」字状の切り込みを形成し、中央の金属片をシャーシ中央側に向け曲げ加工および撓み変形させてばね性を付与した上部押さえ片および下部押さえ片を形成すること、前記四角箱状のシャーシの中央に配線基板を挿入し、前記上部押さえ片および下部押さえ片にて配線基板の周辺を上下から挟み支持すること、および前記シャーシ側面の切り込み部に係合する凸部を備えたカバーで施蓋することを特徴とする電子機器の組立構造。
【請求項２】
前記凸部は、カバーを施蓋した状態において、少なくとも上部または下部押さえ片の一方をシャーシ中央方向へ押圧することを特徴とする、請求項１に記載の電子機器の組立構造。
【発明の詳細な説明】
【技術分野】
【０００１】
本発明は、金属製のシャーシに配線基板を取り付けてカバーで施蓋するための電子機器の組立構造に関する。
【背景技術】
【０００２】
ラベルプリンタやシール・ラベル等の自動貼付機、ラベル巻取機、シール剥離機などの電子機器は、マイクロコンピュータ等の集積回路が実装された配線基板を筐体内に収納して構成されている。この筐体は、シャーシとカバーとが組合わせられて構成されており、前記配線基板はシャーシにねじ止めなどによって取付けられている。
【０００３】
図６は、典型的な従来技術の取付構造を説明するための断面図である。筐体１は、シャーシ２と蓋３とを組合わせて構成されている。シャーシ２の隅角部４には、押型を用いて図７で拡大して示すように絞り加工が施されて、架台５が形成されている。この架台５にはねじ孔５ａが形成されており、該ねじ孔５ａには配線基板７の隅角部６に形成された挿通孔８を挿通したねじ９が螺着される。こうして配線基板７は、その裏面７ａに形成された配線パターンや、該裏面７ａから突出した電子部品１０の端子１０ａが、シャーシ２と接触することなく保持される。
【０００４】
図８は、他の従来技術の取付構造を説明するための断面図である。この従来技術では、筐体１１を構成するシャーシ１２の隅角部１４には、挿通孔１３が形成されており、この挿通孔１３にはスペーサ１５の取付ねじ１６が挿通される。こうして図９で示されるようにシャーシ１２に固定されたスペーサ１５には、そのねじ孔１５ｂに配線基板７の挿通孔８を挿通したねじ９が螺着され、配線基板７がシャーシ１２に取付けられている。
【０００５】
そして、特許文献１には、新たな部品を必要とすることなく、かつ簡便な加工工程でシャーシへの配線基板の取付けを可能とするために、シャーシの打抜き形成時に同時に切欠きを形成し、シャーシの隅角部近傍に複数の折曲片を切起こして、配線基板を支持するためのねじ孔を設ける技術が紹介されている。
【０００６】
【特許文献１】実開平５−６９９８４号公報
【発明の開示】
【発明が解決しようとする課題】
【０００７】
ところが、上述した特許文献１に示される技術においても、シャーシへの配線基板の取付おＹびカバーの取付にはねじを用いて行われるため、電子機器の組立工程においては大小寸法やピッチの異なる多種多様のねじを必要とする。
【０００８】
このため、組立時には部品点数と組立工数が増え、修理などの分解時にはねじを紛失し易いという問題がある。そして、電子機器を最終的に廃棄する場合には、ねじを外して有価金属と有害廃棄物などに分別する必要があり、廃棄時においても解体に手間数を要するという問題がある。
【０００９】
本発明は上記従来技術の問題に鑑み成されたものであって、新たな部品を必要とすることなく、かつ簡便な加工でシャーシへの配線基板の取付けを可能とするとともに、配線基板のシャーシへの取付やカバーの取付にねじ締めやカシメ加工を不要とし、組立および分解を容易に行えるようにした電子機器の組立構造を提供することを目的とする。
【課題を解決するための手段】
【００１０】
上記課題を解決するため、本発明の電子機器の組立構造が採用する構成の特徴は、四角箱状の金属製シャーシの四側面の中間位置に、各対向面毎の組となるように上下の向きを違えて「コ」字状の切り込みを形成し、中央の金属片をシャーシ中央側に向け曲げ加工および撓み変形させてばね性を付与した上部押さえ片および下部押さえ片を形成すること、前記四角箱状のシャーシの中央に配線基板を挿入し、前記上部押さえ片および下部押さえ片にて配線基板の周辺を上下から挟み支持すること、および前記シャーシ側面の切り込み部に係合する凸部を備えたカバーで施蓋することにある。
【００１１】
また、上記凸部は、カバーを施蓋した状態において、少なくとも上部または押さえ片の一方をシャーシ中央方向へ押圧するようにできる。
【００１２】
上記構成によれば、配線基板をシャーシの上部からはめ込むだけで各上部押さえ片および下部押さえ片にて上下から挟んだ状態としてシャーシの中間位置に保持できる。従って、電子部品相互間の絶縁や放熱性（通気性）を確保でき、組立に必要な部品点数も工具も増加を要しない。
【００１３】
一方、分解する際には、上部押さえ片の一つをシャーシの外方向に弾性変形させるだけで、上部押さえ片および下部押さえ片間の力のバランスが崩れ、配線基板は簡単に取り外すことができる。
【００１４】
また、カバーの凸部が、カバーを施蓋した状態において、少なくとも上部または下部押さえ片の一方をシャーシ中央方向へ押圧するようにすれば、配線基板を鞍型に変形させようとするストレスが緩和され、上部または下部押さえ片のすくなくともいずれかがシャーシ内側へと拡がるので、基板を支持する面積が拡がり安定した構造となる。
【発明の効果】
【００１５】
本発明によれば、配線基板およびシャーシへの孔開け加工、ねじやスペーサなど部品、ねじ締め工程やカシメ加工および工具等が省略でき、組立性およびリサイクル性（分解しやすさ）に優れた設計が可能となる。
【発明を実施するための最良の形態】
【００１６】
以下、本発明の実施の形態について説明する。
図１は、本発明の一実施の形態を説明するための分解斜視図である。電子部品２３が実装された配線基板２４は、筐体３１内に収納される。該筐体３１は、大略的に、四角箱状のシャーシ３２と、箱型のカバー３３とを含んで構成されており、塑性変形可能な鉄やアルミなどの金属材料によって形成されている。そして、配線基板２４を取り付けたシャーシ３２にカバー３３が施蓋され、シャーシ３２の切り込み４１，４２にカバー３３の凸部４３、４４を係合して一体化するようになっている。
【００１７】
図２はシャーシ３２の展開図、図３ないし図５は配線基板のシャーシへの取付および取り外し方法の説明図である。
【００１８】
図２において、シャーシ３２となる金属板３４は、折り曲げ部位を点線で、切り離し部位を実線で示している。四側面となる部位の中間位置に、各対向面毎の組となるように、上下の向きを違えて「コ」字状の切り込み４１，４２が一組ずつ形成されている。そして、四角箱状のシャーシ３２を形成した状態で、各切り込み４１，４２の中央の金属片がシャーシ３２の中央側を向くように曲げ加工および撓み変形させてばね性を付与した上部押さえ片４５および下部押さえ片４６を形成する。
【００１９】
次いで、図１に示すように、電子機器３１を組み立てる。このとき、図３に示すように、配線基板２４の周辺を、上部押さえ片４５および下部押さえ片４６にて上下から挟み支持するようになる。そして、シャーシ３２側面の各切り込み部４１，４２にカバー３３の凸部４３，４４を係合させて施蓋する構造となる。
【００２０】
ここで、凸部４３は、カバー３３を施蓋した状態において、上部押さえ片４５をシャーシ３２の中央方向へ押圧するので、配線基板２４に鞍型の歪み変形が加えられるのを緩和できるのと共に、配線基板２４を支持する部分を拡大できる。
【００２１】
一方、シャーシ３２から配線基板２４を取り出すには、図４に示すように、上部押さえ片４５の一つをシャーシ３２の外方向に弾性変形させることにより、上部押さえ片４５同士および下部押さえ片４６との間のバランスが崩れ、配線基板２４は簡単に取り外すことができる（図５）。
以上のように本発明によれば、配線基板およびシャーシへの孔開け加工、ねじやスペーサなど部品、ねじ締め工程やカシメ加工および工具等が省略でき、組立性およびリサイクル性（分解しやすさ）に優れた設計が可能となる。
なお、上記実施の形態に示したのはあくまで例示であり、限定ではない。実施の形態は特許請求の範囲に記載した範囲内で自由に変形できることは言うまでもない。
【図面の簡単な説明】
【００２２】
【図１】本発明の電子機器の組立構造を説明するための全体斜視図である。
【図２】シャーシの展開図である。
【図３】シャーシと配線基板およびカバーの固定部位を示す拡大断面図である。
【図４】配線基板の取り外し方法を示す説明図である。
【図５】配線基板の取り外し方法を示す説明図である。
【図６】従来技術による電子機器の配線基板をシャーシに取付ける構造を示す断面図である。
【図７】図８の要部を示す拡大斜視図である。
【図８】他の従来技術による電子機器の配線基板とシャーシの取付構造を示す断面図である。
【図９】図８の要部を示す拡大斜視図である。
【符号の説明】
【００２３】
２４…配線基板、３２…シャーシ、３３…カバー、４１，４２…切り込み、４３，４４…凸起、４５…上部押さえ片、４６…下部押さえ片
【図１】
2006186157.tif 000003
【図２】
2006186157.tif 000004
【図３】
2006186157.tif 000005
【図４】
2006186157.tif 000006
【図５】
2006186157.tif 000007
【図６】
2006186157.tif 000008
【図７】
2006186157.tif 000009
【図８】
2006186157.tif 000010
【図９】
2006186157.tif 000011